(57)【要約】【課題】  ＩＥＥＥ１３９４インターフェースを介して、複数チャンネルのコンテンツを送受信する際に、パケットのオーバーヘッドを減少するＩＥＥＥ１３９４送信装置、ＩＥＥＥ１３９４受信装置、ＩＥＥＥ１３９４送信方法およびＩＥＥＥ１３９４受信方法を提供すること【解決手段】  複数チャンネルのオーディオデータコンテンツを送信するＩＥＥＥ１３９４送信装置は、複数のオーディオデータコンテンツを、オーディオデータコンテンツ順にサンプリングオーディオデータを配置して１つのオーディオデータコンテンツのフォーマットを生成するＩＥＣ６１８８３−６エンコード部４と、生成された１つのオーディオデータコンテンツのフォーマットにＩＥＥＥ１３９４ヘッダパケットを付与するＩＥＥＥ送信制御部７と、を備えている。【選択図】  図１
2008228164.tif 000002
【特許請求の範囲】
【請求項１】
複数チャンネルのオーディオデータコンテンツを送信するＩＥＥＥ１３９４送信装置であって、
複数の前記オーディオデータコンテンツを、前記オーディオデータコンテンツ順にサンプリングオーディオデータを配置して１つの前記オーディオデータコンテンツのフォーマットを生成するオーディオデータ生成部と、
生成された１つの前記オーディオデータコンテンツのフォーマットにＩＥＥＥ１３９４ヘッダパケットを付与するＩＥＥＥ１３９４送信制御部と、
を備えることを特徴とするＩＥＥＥ１３９４送信装置。
【請求項２】
請求項１に記載のＩＥＥＥ１３９４送信装置であって、
共通のクロックにより複数の前記オーディオデータコンテンツを同期して受信する全ての前記オーディオデータコンテンツに共通なＰＬＬ
を備えることを特徴とするＩＥＥＥ１３９４送信装置。
【請求項３】
請求項１に記載のＩＥＥＥ１３９４送信装置であって、
複数の前記オーディオデータコンテンツの暗号化要求が、コピーフリーしか含まない場合には、ｓｙパラメータにコピーフリーを設定し、
複数の前記オーディオデータコンテンツの暗号化要求が、コピーワンジェネレーションまたはコピーネバーを含む場合には、前記ｓｙパラメータに前記コピーワンジェネレーションまたは前記コピーネバーを設定する
ｓｙパラメータ設定部
を備えることを特徴とするＩＥＥＥ１３９４送信装置。
【請求項４】
請求項３に記載のＩＥＥＥ１３９４送信装置であって、
前記ｓｙパラメータ設定部は、
複数の前記オーディオデータコンテンツの暗号化要求が、前記コピーワンジェネレーションを含み、前記コピーネバーを含まない場合には、前記ｓｙパラメータに前記コピーワンジェネレーションを設定し、
複数の前記オーディオデータコンテンツの暗号化要求が、前記コピーネバーを含む場合には、前記ｓｙパラメータに前記コピーネバーを設定する
ことを特徴とするＩＥＥＥ１３９４送信装置。
【請求項５】
請求項１に記載のＩＥＥＥ１３９４送信装置であって、
前記オーディオデータコンテンツごとに暗号化の有無とレベルとを認識し、暗号化のレベルに応じた暗号情報を供給する暗号化制御部と、
前記暗号化制御部により供給される前記暗号情報に応じて、対象とする前記オーディオデータコンテンツを暗号化する暗号化部と、
を備えることを特徴とするＩＥＥＥ１３９４送信装置。
【請求項６】
複数チャンネルのオーディオデータコンテンツを受信するＩＥＥＥ１３９４受信装置であって、
受信したＩＥＥＥ１３９４パケットから１つのオーディオデータコンテンツのフォーマットを分離するＩＥＥＥ１３９４受信制御部と、
１つの前記オーディオデータコンテンツのフォーマットを、外部から入力されるオーディオデータコンテンツ分離情報に基づいて、複数の前記オーディオデータコンテンツを生成するオーディオデータコンテンツ生成部と、
を備えることを特徴とするＩＥＥＥ１３９４受信装置。
【請求項７】
請求項６に記載のＩＥＥＥ１３９４受信装置であって、
共通のクロックにより複数の前記オーディオデータコンテンツを同期して送信する全ての前記オーディオデータコンテンツに共通なＰＬＬ
を備えることを特徴とするＩＥＥＥ１３９４受信装置。
【請求項８】
請求項６に記載のＩＥＥＥ１３９４受信装置であって、
ｓｙパラメータがコピーフリーか否かを判別する第１判別部と、
前記ｓｙパラメータがコピーワンジェネレーションまたはコピーネバーの場合、前記オーディオデータコンテンツのフォーマットにおいて、サンプリングオーディオデータを識別するラベルが所定値であるか否かを前記サンプリングオーディオデータごとに判別する第２判別部と、
前記第２判別部による判別の結果が前記所定値でない場合、前記ｓｙパラメータを用いて前記オーディオデータコンテンツ生成部で生成された前記オーディオデータコンテンツを復号化する第１復号化部と、
前記第１復号化部による復号化の結果、前記ラベルが前記所定値であるか否かを判別する第３判別部と、
前記第３判別部による判別の結果が前記所定値でない場合、前記ｓｙパラメータとは異なるパラメータを用いて復号化する第２復号化部と、
を備えることを特徴とするＩＥＥＥ１３９４受信装置。
【請求項９】
複数チャンネルのオーディオデータコンテンツを送信するＩＥＥＥ１３９４送信方法であって、
複数のオーディオデータコンテンツを、前記オーディオデータコンテンツ順にサンプリングオーディオデータを配置して１つの前記オーディオデータコンテンツのフォーマットを生成するステップと、
生成された１つの前記オーディオデータコンテンツのフォーマットにＩＥＥＥ１３９４ヘッダパケットを付与するステップと、
を備えることを特徴とするＩＥＥＥ１３９４送信方法。
【請求項１０】
複数チャンネルのオーディオデータコンテンツを受信するＩＥＥＥ１３９４受信方法であって、
受信したＩＥＥＥ１３９４パケットから１つの前記オーディオデータコンテンツのフォーマットを分離するステップと、
１つの前記オーディオデータコンテンツのフォーマットを、外部から入力されるオーディオデータコンテンツ分離情報に基づいて、複数の前記オーディオデータコンテンツを生成するステップと、
を備えることを特徴とするＩＥＥＥ１３９４受信方法。
【発明の詳細な説明】
【技術分野】
【０００１】
本発明は、ＩＥＥＥ１３９４送信装置、ＩＥＥＥ受信装置、ＩＥＥＥ１３９４送信方法およびＩＥＥＥ１３９４受信方法に関するものである。
【背景技術】
【０００２】
ＩＥＥＥ１３９４により、複数コンテンツのオーディオデータを送信する場合、例えばＩＥＣ６１８８３−６を使って、図１２に示すＩＥＥＥ１３９４送信装置１００によりＩＥＥＥ１３９４パケットを送信していた。
【０００３】
ＩＥＥＥ１３９４送信装置１００は、１つのコンテンツ当り８チャンネルのオーディオデータコンテンツを、３組送信することができる。３線式インターフェースから入力される第１のオーディオデータコンテンツは、第１ＰＬＬ１０１および第１シリアル−パラレル変換部によりパラレルのサンプリングオーディオデータにされ、第１ＩＥＣ６１８８３−６エンコード部１０４に出力される。第１ＩＥＣ６１８８３−６エンコード部１０４では、第１ラベル生成部１０３に生成されるラベルがサンプリングオーディオデータに付与され、第１暗号化部１０５にそのデータが出力される。第１暗号化部１０５では、暗号制御部１１７の出力に応じて、データが暗号化される。暗号制御部１１７では、外部から入力される暗号化設定信号ＡＮＧにより、データをどのレベルで暗号化するか否かが設定されている。
【０００４】
第２および第３のオーディオデータコンテンツも、同様に処理され、第１のオーディオデータコンテンツと共にセレクタ１１６に入力される。セレクタ１１６では、第１〜第３のオーディオコンテンツのデータごとに選択し、ＩＥＥＥ１３９４パケット生成部１１８に出力する。ＩＥＥＥ１３９４パケット生成部１１８では、第１〜第３のオーディオコンテンツのデータごとにヘッダを付与し、外部にＩＥＥＥ１３９４パケットを送出する。
【０００５】
例えば、第１のオーディオデータコンテンツが４チャンネル、第２のオーディオデータコンテンツが２チャンネルおよび第３のオーディオデータコンテンツが２チャンネルのＩＥＥＥ１３９４パケットを送出する場合の例を図１３〜図１６に示す。図１３に示すように、ＩＥＥＥ１３９４パケットは、ＣＳ（Ｃｙｃｌｅ  Ｓｔａｒｔ  Ｐａｃｋｅｔ）と、図１４に示される第１のオーディオデータコンテンツに対応するアイソクロナスパケットＩＳＯ１と、図１５に示される第２のオーディオデータコンテンツに対応するアイソクロナスパケットＩＳＯ２と、図１６に示される第３のオーディオデータコンテンツに対応するアイソクロナスパケットＩＳＯ３とで構成されている。ＩＳＯ１〜ＩＳＯ３パケットの先頭にはそれぞれアイソクロナスヘッダとＣＩＰヘッダが付与されている。このように、ＩＥＥＥ１３９４送信装置１００では、オーディオデータコンテンツのデータ毎にアイソクロナスヘッダおよびＣＩＰヘッダが付与されたＩＥＥＥ１３９４パケットの送出が行われることとなる。
【０００６】
なお、コンテンツを送受信する技術として、特許文献１の技術が開示されている。
【特許文献１】特開２００５−０２５２７０号公報
【発明の開示】
【発明が解決しようとする課題】
【０００７】
しかしながら、複数チャンネルのオーディオデータコンテンツをＩＥＥＥ１３９４インターフェースで送受信する場合、オーディオデータコンテンツ毎にヘッダが付加されるため、ＩＥＥＥ１３９４のパケットのオーバーヘッドが増大し問題である。
【０００８】
本発明は前記背景技術に鑑みなされたものであり、ＩＥＥＥ１３９４インターフェースを介して、複数チャンネルのコンテンツを送受信する際に、パケットのオーバーヘッドを減少するＩＥＥＥ１３９４送信装置、ＩＥＥＥ１３９４受信装置、ＩＥＥＥ１３９４送信方法およびＩＥＥＥ１３９４受信方法を提供することを目的とする。
【課題を解決するための手段】
【０００９】
その解決手段は、複数チャンネルのオーディオデータコンテンツを送信するＩＥＥＥ１３９４送信装置であって、複数の前記オーディオデータコンテンツを、前記オーディオデータコンテンツ順にサンプリングオーディオデータを配置して１つの前記オーディオデータコンテンツのフォーマットを生成するオーディオデータ生成部と、生成された１つの前記オーディオデータコンテンツのフォーマットにＩＥＥＥ１３９４ヘッダパケットを付与するＩＥＥＥ送信制御部と、を備えることを特徴とするＩＥＥＥ１３９４送信装置である。
【００１０】
また、他の解決手段は、複数チャンネルのオーディオデータコンテンツを送信するＩＥＥＥ１３９４送信方法であって、複数のオーディオデータコンテンツを、前記オーディオデータコンテンツ順にサンプリングオーディオデータを配置して１つの前記オーディオデータコンテンツのフォーマットを生成するステップと、生成された１つの前記オーディオデータコンテンツのフォーマットにＩＥＥＥ１３９４ヘッダパケットを付与するステップと、を備えることを特徴とするＩＥＥＥ１３９４送信方法である。
【００１１】
また、他の解決手段は、複数チャンネルのオーディオデータコンテンツを受信するＩＥＥＥ１３９４受信装置であって、受信したＩＥＥＥ１３９４パケットから１つのオーディオデータコンテンツのフォーマットを分離するＩＥＥＥ１３９４受信制御部１つの前記オーディオデータコンテンツのフォーマットを、外部から入力されるオーディオデータコンテンツ分離情報に基づいて、複数の前記オーディオデータコンテンツを生成するオーディオデータコンテンツ生成部を備えることを特徴とするＩＥＥＥ１３９４受信装置である。
【００１２】
また、他の解決手段は、複数チャンネルのオーディオデータコンテンツを受信するＩＥＥＥ１３９４受信方法であって、受信したＩＥＥＥ１３９４パケットから１つの前記オーディオデータコンテンツのフォーマットを分離するステップと、１つの前記オーディオデータコンテンツのフォーマットを、外部から入力されるオーディオデータコンテンツ分離情報に基づいて、複数の前記オーディオデータコンテンツを生成するステップと、を備えることを特徴とするＩＥＥＥ１３９４受信方法である。
【００１３】
これにより、複数チャンネルのオーディオデータコンテンツを、オーディオデータコンテンツ順にサンプリングオーディオデータを配置した１つのオーディオデータコンテンツのフォーマットで送受信できるため、ＩＥＥＥ１３９４のヘッダ部分を１つで済ますことができ、ＩＥＥＥ１３９４のパケットのオーバーヘッドを軽減することができる。
【発明の効果】
【００１４】
本発明によれば、ＩＥＥＥ１３９４インターフェースを介して、複数チャンネルのコンテンツを送受信する際に、パケットのオーバーヘッドを減少するＩＥＥＥ１３９４送信装置、ＩＥＥＥ１３９４受信装置、ＩＥＥＥ１３９４送信方法およびＩＥＥＥ１３９４受信方法を提供することが可能となる。
【発明を実施するための最良の形態】
【００１５】
以下、本発明のＩＥＥＥ１３９４送信装置、ＩＥＥＥ１３９４受信装置、ＩＥＥＥ１３９４送信方法およびＩＥＥＥ１３９４受信方法について具体化した実施形態を図１〜図１１に基づき図面を参照しつつ詳細に説明する。
【００１６】
（第１実施形態）
図１は第１実施形態にかかるＩＥＥＥ１３９４送信装置１の構成を示すブロック図である。ＩＥＥＥ１３９４送信装置１では、３線式インターフェースにより入力される最大２４のオーディオデータコンテンツが、ＩＥＥＥ１３９４のパケットに変換され、また、設定に応じて暗号化され、ＩＥＥＥ１３９４バスに送信される。
【００１７】
ＩＥＥＥ１３９４送信装置１は、シリアル−パラレル変換部２と、ＰＬＬ３と、ＩＥＣ６１８８３−６エンコード部４と、ラベル生成部５と、暗号化部６と、ＩＥＥＥ１３９４送信制御部７と、ｓｙパラメータ設定部８と、暗号化制御部９とを備えている。
【００１８】
シリアル−パラレル変換部２では、１つのＰＬＬ３と共に、公知の３線式インターフェース方式により入力される最大２４のオーディオデータコンテンツが、パラレルのサンプリングオーディオデータに変換される。
【００１９】
従来技術では、第１ＰＬＬ１０１、第２ＰＬＬ１０６および第３ＰＬＬ１１１の３つのＰＬＬが必要であったが、第１実施形態にかかるＩＥＥＥ１３９４送信装置１では１つのＰＬＬ３により、共通のクロックでオーディオデータコンテンツを受信するため、クロック制御に必要なＰＬＬを１つで済ませることができる。このため、クロックの端子数も減らすことができ、それに伴い、ＰＬＬにかかる消費電力を削減することができる。
【００２０】
ＩＥＣ６１８８３−６エンコード部４およびラベル生成部５では、サンプリングオーディオデータが、ＩＥＣ６１８８３−６フォーマットに準拠するオーディオデータに変換される。
【００２１】
図２に示すように、ＩＥＣ６１８８３−６フォーマットのうち、個々のサンプリングオーディオデータは、ラベルが付与されて、標準のＡＭ８２４データフォーマットに変換される。ＩＥＣ６１８８３−６フォーマットでは、図３に示すように、サブラベル付きＡＭ８２４データフォーマットが２つ先頭に付加される。
【００２２】
図４は、８チャンネルのオーディオデータコンテンツの基本データブロック構成を示す図である。先頭にサブラベル付きＡＭ８２４データが２クアドレット付与され、標準のＡＭ８２４データが８チャンネル分続く。このうちサブラベル付きＡＭ８２４データに含まれるＡｎｃｉｌｌａｒｙ  Ｄａｔａには、オーディオデータコンテンツの圧縮情報などオーディオデータコンテンツに関する情報が格納されている。
【００２３】
暗号化部６では、暗号化制御部９から出力される暗号化指令信号ＡＮＧＸに基づいて、ＩＥＣ６１８８３−６エンコード部４から出力されるＡＭ８２４データが５Ｃ−ＤＴＰＣ方式で暗号化される。暗号化制御部９では、外部から設定される暗号化信号ＡＮＧに基づいて、暗号化指令信号ＡＮＧＸが出力される。
【００２４】
図５に暗号化制御部から出力される暗号化指令信号ＡＮＧＸの内容を示すタイミングチャートを示す。この図で示されるように先頭の２つのＡｎｃｉｌｌａｒｙ  Ｄａｔａ（図中ＡＮＣ１およびＡＮＣ２）は、後述する最も厳しいレベルのｓｙパラメータで暗号化され、暗号化の対象となるチャンネル（図中ＣＨ５およびＣＨ６）は暗号化信号ＡＮＧに基づいて暗号化されている。
【００２５】
ところで、コピーレベルは、コピーフリー、コピーワンジェネレーションおよびコピーネバーの順で厳しいレベルになっている。ｓｙパラメータ設定部８では、暗号化指令信号ＡＮＧＸから、最も厳しいコピーレベルが保持される。
具体的には、暗号化指令信号ＡＮＧＸが、コピーフリーしか含まない場合には、ｓｙパラメータにコピーフリーを設定する。また、暗号化指令信号ＡＮＧＸがコピーワンジェネレーションを含み、コピーネバーを含まない場合には、ｓｙパラメータにコピーワンジェネレーションを設定する。またさらに、暗号化指令信号ＡＮＧＸがコピーネバーを含む場合には、ｓｙパラメータにコピーネバーを設定する。これにより、ｓｙパラメータに、最も厳しいコピーレベルを設定することができる。
【００２６】
ＩＥＥＥ１３９４送信制御部７では、暗号化部６から出力されるＩＥＣ６１８８３−６フォーマットのデータにアイソクロナスヘッダおよびＣＩＰ（Ｃｏｍｍｏｎ  Ｉｓｏｃｈｒｏｎｏｕｓ  Ｐａｃｋｅｔ）ヘッダが先頭に付加されて外部のＩＥＥＥ１３９４バスにアイソクロナスパケット全体が送出される。
【００２７】
図６はアイソクロナスパケットヘッダフォーマットを示す図である。このうちｄａｔａ＿ｌｅｎｇｔｈパラメータはアイソクロナスパケット全体に含まれるバイト数が設定される任意の値である。ｔａｇパラメータはパケット内にＣＩＰヘッダを含んでいることを表わす値であり、０１の固定値である。ｃｈａｎｎｅｌパラメータはアイソクロナスパケットの識別に使うチャンネル番号であり、任意の値が設定される。ｔｃｏｄｅパラメータはパケットの種別を示すコードであり、アイソクロナスパケットの場合は１０１０が設定される。ｓｙパラメータはオーディオフォーマットではコピー情報が設定される。
【００２８】
図７はＣＩＰヘッダフォーマットを示す図である。このうちＳＩＤパラメータはパケットを送信しているノードのＩＤが設定される任意の値である。ＤＢＳパラメータは分割された１データブロックのサイズが設定される任意の値である。ＦＮパラメータは１ソースパケットのデータブロックへの分割数であり、ＩＥＥＥ１３９４送信装置１では、分割しないため、００の固定値が設定される。ＱＰＣパラメータは分割するために付加されたクアドレット（１クアドレットは４バイトのデータ列を示す）数であり、ＩＥＥＥ１３９４送信装置１では、分割しないため、０００の固定値が設定される。ＳＰＨパラメータはソースパケットヘッダが付加されているか否かを表わし、ＩＥＥＥ１３９４送信装置１では、付加していないため、０の固定値が設定される。Ｒｓｖパラメータは将来のための拡張領域であり、ＩＥＥＥ１３９４送信装置１では、００の固定値が設定される。ＤＢＣパラメータはデータブロックの連続カウンタ値が設定され、１データブロックを送信する毎に＋１が加算される。ＦＭＴパラメータはパケットのデータがどんなフォーマットかを示し、ＩＥＥＥ１３９４送信装置１では、オーディオアンドミュージックフォーマットであるため、０１００００の固定値が設定される。ＦＤＦパラメータはフォーマット依存のフィールドであり、任意値が設定される。ＳＹＴパラメータはタイムスタンプが設定される。
【００２９】
図８は第１実施形態にかかるＩＥＥＥ１３９４送信装置１から送信されるアイソクロナスパケット構造を示す図である。このアイソクロナスパケット構造は、アイソクロナスパケットヘッダと、ＣＩＰヘッダと、ＩＥＣ６１８８３−６データと、そのデータのＣＲＣからなる。このうちＩＥＣ６１８８３−６データは、チャンネル５およびチャンネル６が暗号化されているため、チャンネル５およびチャンネル６のラベルは４Ｘ（１６進数、以後同様）以外であり、Ａｎｃｉｌｌａｒｙ  Ｄａｔａを含むサブラベル付きＡＭ８２４フォーマットパケットも暗号化されている。また、アイソクロナスパケットヘッダのｓｙにも暗号化のレベルに応じた値が設定されている。
【００３０】
図９は第１実施形態にかかるＩＥＥＥ１３９４送信装置１から送信されるＩＥＥＥ１３９４パケットを示す図である。図８で示すアイソクロナスパケット構造（ＩＳＯ）に先立ち、Ｃｙｃｌｅ  Ｓｔａｒｔ  Ｐａｃｋｅｔ（ＣＳ）が付与されて、ＩＥＥＥ１３９４バスから送信される。
【００３１】
以上詳細に説明したとおり、第１実施形態にかかるＩＥＥＥ１３９４送信装置１によれば、複数チャンネルのオーディオデータコンテンツを１コンテンツのパケットで送信するため、ヘッダ部分が１つで済み、ＩＥＥＥ１３９４パケットのオーバーヘッドを軽減することができる。
【００３２】
（第２実施形態）
図１０は第２実施形態にかかるＩＥＥＥ１３９４受信装置１０の構成を示すブロック図である。ＩＥＥＥ１３９４受信装置１０は、ＩＥＥＥ１３９４バスからパケットを受信し、公知の３線式インターフェースで外部にオーディオコンテンツを送信する。
【００３３】
ＩＥＥＥ１３９４受信装置１０は、ＩＥＥＥ１３９４受信制御部１１と、第１判別部１２と、第２判別部１３と、第１復号化部１４と、第３判別部１５と、第２復号化部１６と、セレクタ１７と、復号化制御部１８と、ＩＥＣ６１８８３−６デコード部１９と、ＰＬＬ２０と、パラレル−シリアル変換部２１とを備えている。
【００３４】
ＩＥＥＥ１３９４受信制御部１１では、ＩＥＥＥ１３９４バスから受信されたパケットのうちアイソクロナスパケットヘッダに含まれるｓｙパラメータおよびＩＥＣ６１８８３−６のデータのうち、データチャンネルを含む標準のＡＭ８２４フォーマットが１クアドレットずつ取り出される。
【００３５】
第１判別部１２では、ｓｙパラメータが、コピーフリー、コピーワンジェネレーションおよびコピーネバーのどのコピーレベルかが判別される。判別された結果は復号化制御部１８に出力される。
【００３６】
第２判別部１３では、ＩＥＥＥ１３９４受信制御部１１で取り出された、１クアドレットのデータチャネルを含む標準のＡＭ８２４フォーマットのうちのラベルを入力とし、そのラベルの値が４Ｘか否かが判別される。判別された結果は復号化制御部１８に出力される。
【００３７】
第１復号化部１４では、ＩＥＥＥ１３９４受信制御部１１で取り出された、１クアドレットのデータがｓｙパラメータを用いて復号化される。復号化された結果はセレクタ１７の入力端子ＩＮ１およびそのうちラベルのみ第３判別部１５に出力される。
【００３８】
第３判別部１５では、第１復号化部１４で復号化されたＡＭ８２４フォーマットのうちのラベルを入力とし、そのラベルの値が４Ｘか否かが判別される。判別された結果は復号化制御部１８に出力される。
【００３９】
第２復号化部１６では、ＩＥＥＥ１３９４受信制御部１１で取り出された、１クアドレットのデータがｓｙパラメータを用いて復号化される。復号化された結果はセレクタ１７の入力端子ＩＮ２に出力される。
【００４０】
セレクタ１７では、ＩＥＥＥ１３９４受信制御部１１で取り出された、１クアドレットのデータが入力端子ＩＮ０に、第１復号化部１４からの出力が入力端子ＩＮ１に、第２復号化部１６からの出力が入力端子ＩＮ２に入力される。入力端子ＩＮ０〜ＩＮ２に入力された信号は、復号化制御部１８の出力に応じて選択され、ＩＥＣ６１８８３−６デコード部１９に出力される。
【００４１】
復号化制御部１８では、第１判別部１２、第２判別部１３および第３判別部１５から出力された判別信号に基づき、後述する各オーディオデータコンテンツの復号化の手順に応じて、セレクタ１７に選択信号が出力される。
【００４２】
ＩＥＣ６１８８３−６デコード部１９では、セレクタ１７からのＡＭ８２４フォーマットデータからラベルが除去され、図示しない外部から入力されるオーディオデータコンテンツ分離情報に基づいて、取り出されたオーディオデータコンテンツがパラレル−シリアル変換部２１に出力される。
【００４３】
ＰＬＬ２０およびパラレル−シリアル変換部２１では、ＩＥＣ６１８８３−６デコード部１９から出力された最大２４のオーディオデータコンテンツが、公知の３線式インターフェースにより、共通のクロック信号ＬＲＣＫおよびクロック信号ＢＣＬＫに同期して、データ端子ＳＤ００〜ＳＤ２３から出力される。
【００４４】
第２実施形態にかかるＩＥＥＥ１３９４受信装置１０では１つのＰＬＬ２０により、共通のクロックでオーディオデータを送信するため、クロック制御に必要なＰＬＬを１つで済ませることができる。このため、クロックの端子数も減らすことができ、それに伴い、ＰＬＬにかかる消費電力を削減することができる。
【００４５】
次いで、各オーディオデータコンテンツの復号化の手順について説明する。図１１は、各オーディオデータコンテンツの復号化の手順を示すフローチャートである。
【００４６】
ステップＳ１において、第１判別部１２により、ｓｙパラメータがコピーフリー、コピーワンジェネレーションまたはコピーネバーかが判別される。コピーフリーの場合はステップＳ３に移行し、コピーワンジェネレーションまたはコピーネバーの場合はステップＳ２に移行する。
【００４７】
ステップＳ２において、第２判別部１３により、ＩＥＥＥ１３９４受信制御部１１で取り出された、１クアドレットのデータチャネルを含む標準のＡＭ８２４フォーマットのうちのラベルの値が４Ｘまたは４Ｘ以外の値かが判別される。ラベルの値が４Ｘの場合はステップＳ３に移行し、ラベルの値が４Ｘ以外の場合はステップＳ４に移行する。
【００４８】
ステップＳ３において、復号化制御部１８では、セレクタ１７の入力端子ＩＮ０の信号を選択するように選択信号が出力される。その後、復号化を終了する。
【００４９】
ステップＳ４において、第１復号化部１４により、ｓｙパラメータを用いて、ＩＥＥＥ１３９４受信制御部１１で取り出された、１クアドレットのデータチャネルを含む標準のＡＭ８２４フォーマットが復号化される。その後、ステップＳ５に移行する。
【００５０】
ステップＳ５において、ステップＳ４により復号化されたＡＭ８２４フォーマットのうちラベルが４Ｘまたは４Ｘ以外かが判別される。ラベルが４Ｘの場合はステップＳ６に移行し、ラベルが４Ｘ以外の場合はステップＳ７に移行する。
【００５１】
ステップＳ６において、復号化制御部１８では、セレクタ１７の入力端子ＩＮ１の信号を選択するように選択信号が出力される。その後、復号化を終了する。
【００５２】
ステップＳ７において、第２復号化部１６により、ｓｙパラメータ以外の値（例えば、ｓｙパラメータがコピーネバーの場合はコピーワンジェネレーション、ｓｙパラメータがコピーワンジェネレーションの場合はコピーネバー）を用いて、ＩＥＥＥ１３９４受信制御部１１で取り出された、１クアドレットのデータチャネルを含む標準のＡＭ８２４フォーマットが復号化される。その後、ステップＳ８に移行する。
【００５３】
ステップＳ８において、復号化制御部１８では、セレクタ１７の入力端子ＩＮ２の信号を選択するように選択信号が出力される。その後、復号化を終了する。
【００５４】
これにより、コピーワンジェネレーションまたはコピーネバーで暗号化された各オーディオコンテンツを確実に復号化できる。
【００５５】
以上詳細に説明したとおり、第２実施形態にかかるＩＥＥＥ１３９４受信装置１０によれば、複数チャンネルのオーディオデータコンテンツを１コンテンツのパケットで受信するため、ヘッダ部分が１つで済み、ＩＥＥＥ１３９４パケットのオーバーヘッドを軽減することができる。
【００５６】
尚、本発明は前記実施形態に限定されるものではなく、本発明の趣旨を逸脱しない範囲内で種々の改良、変形が可能であることは言うまでもない。
例えば、第１実施形態および第２実施形態においては、最大２４チャンネルのオーディオデータコンテンツを送信および受信する３線式インターフェースを有するＩＥＥＥ１３９４送信装置およびＩＥＥＥ１３９４受信装置について説明したが、本発明はこれに限定されるものではなく、それよりも少ない８チャンネルなどのオーディオデータコンテンツを送信および受信する３線式インターフェースを有するＩＥＥＥ１３９４送信装置およびＩＥＥＥ１３９４受信装置にも同様に適用することができることは言うまでもない。
【００５７】
ＩＥＣ６１８８３−６エンコード部４はオーディオデータ生成部の一例、ＩＥＣ６１８８３−６デコード部１９はオーディオデータコンテンツ生成部の一例である。
【００５８】
ここで、本発明の技術思想により、背景技術における課題を解決するための手段を以下に列記する。
（付記１）  複数チャンネルのオーディオデータコンテンツを送信するＩＥＥＥ１３９４送信装置であって、
複数の前記オーディオデータコンテンツを、前記オーディオデータコンテンツ順にサンプリングオーディオデータを配置して１つの前記オーディオデータコンテンツのフォーマットを生成するオーディオデータ生成部と、
生成された１つの前記オーディオデータコンテンツのフォーマットにＩＥＥＥ１３９４ヘッダパケットを付与するＩＥＥＥ１３９４送信制御部と、
を備えることを特徴とするＩＥＥＥ１３９４送信装置。
（付記２）  付記１に記載のＩＥＥＥ１３９４送信装置であって、
共通のクロックにより複数の前記オーディオデータコンテンツを同期して受信する全ての前記オーディオデータコンテンツに共通なＰＬＬ
を備えることを特徴とするＩＥＥＥ１３９４送信装置。
（付記３）  付記１に記載のＩＥＥＥ１３９４送信装置であって、
複数の前記オーディオデータコンテンツの暗号化要求が、コピーフリーしか含まない場合には、ｓｙパラメータにコピーフリーを設定し、
複数の前記オーディオデータコンテンツの暗号化要求が、コピーワンジェネレーションまたはコピーネバーを含む場合には、前記ｓｙパラメータに前記コピーワンジェネレーションまたは前記コピーネバーを設定する
ｓｙパラメータ設定部を備える
ことを特徴とするＩＥＥＥ１３９４送信装置。
（付記４）  付記３に記載のＩＥＥＥ１３９４送信装置であって、
前記ｓｙパラメータ設定部は、
複数の前記オーディオデータコンテンツの暗号化要求が、前記コピーワンジェネレーションを含み、前記コピーネバーを含まない場合には、前記ｓｙパラメータに前記コピーワンジェネレーションを設定し、
複数の前記オーディオデータコンテンツの暗号化要求が、前記コピーネバーを含む場合には、前記ｓｙパラメータに前記コピーネバーを設定する
ことを特徴とするＩＥＥＥ１３９４送信装置。
（付記５）  付記１に記載のＩＥＥＥ１３９４送信装置であって、
前記オーディオデータコンテンツごとに暗号化の有無とレベルとを認識し、暗号化のレベルに応じた暗号情報を供給する暗号化制御部と、
前記暗号化制御部により供給される前記暗号情報に応じて、対象とする前記オーディオデータコンテンツを暗号化する暗号化部と、
を備えることを特徴とするＩＥＥＥ１３９４送信装置。
（付記６）  付記５に記載のＩＥＥＥ１３９４送信装置であって、
前記暗号化部における前記暗号化は５Ｃ−ＤＴＣＰ方式により行なう
ことを特徴とするＩＥＥＥ１３９４送信装置。
（付記７）  複数チャンネルのオーディオデータコンテンツを受信するＩＥＥＥ１３９４受信装置であって、
受信したＩＥＥＥ１３９４パケットから１つのオーディオデータコンテンツのフォーマットを分離するＩＥＥＥ１３９４受信制御部と、
１つの前記オーディオデータコンテンツのフォーマットを、外部から入力されるオーディオデータコンテンツ分離情報に基づいて、複数の前記オーディオデータコンテンツを生成するオーディオデータコンテンツ生成部と、
を備えることを特徴とするＩＥＥＥ１３９４受信装置。
（付記８）  付記７に記載のＩＥＥＥ１３９４受信装置であって、
共通のクロックにより複数の前記オーディオデータコンテンツを同期して送信する全ての前記オーディオデータコンテンツに共通なＰＬＬ
を備えることを特徴とするＩＥＥＥ１３９４受信装置。
（付記９）  付記７に記載のＩＥＥＥ１３９４受信装置であって、
ｓｙパラメータがコピーフリーか否かを判別する第１判別部と、
前記ｓｙパラメータがコピーワンジェネレーションまたはコピーネバーの場合、前記オーディオデータコンテンツのフォーマットにおいて、サンプリングオーディオデータを識別するラベルが所定値であるか否かを前記サンプリングオーディオデータごとに判別する第２判別部と、
前記第２判別部による判別の結果が前記所定値でない場合、前記ｓｙパラメータを用いて前記オーディオデータコンテンツ生成部で生成された前記オーディオデータコンテンツを復号化する第１復号化部と、
前記第１復号化部による復号化の結果、前記ラベルが前記所定値であるか否かを判別する第３判別部と、
前記第３判別部による判別の結果が前記所定値でない場合、前記ｓｙパラメータとは異なるパラメータを用いて復号化する第２復号化部と、
を備える
ことを特徴とするＩＥＥＥ１３９４受信装置。
（付記１０）  付記９に記載のＩＥＥＥ１３９４受信装置であって、
前記第１復号化部および第２復号化部における復号化は５Ｃ−ＤＴＣＰ方式により行なう
ことを特徴とするＩＥＥＥ１３９４受信装置。
（付記１１）  複数チャンネルのオーディオデータコンテンツを送信するＩＥＥＥ１３９４送信方法であって、
複数のオーディオデータコンテンツを、前記オーディオデータコンテンツ順にサンプリングオーディオデータを配置して１つの前記オーディオデータコンテンツのフォーマットを生成するステップと、
生成された１つの前記オーディオデータコンテンツのフォーマットにＩＥＥＥ１３９４ヘッダパケットを付与するステップと、
を備えることを特徴とするＩＥＥＥ１３９４送信方法。
（付記１２）  付記１１に記載のＩＥＥＥ１３９４送信方法であって、
複数の前記オーディオデータコンテンツの暗号化要求が、コピーフリーのレベルしか含まない場合には、ｓｙパラメータに前記コピーフリーを設定するステップと、
複数の前記オーディオデータコンテンツの暗号化要求が、コピーワンジェネレーションまたはコピーネバーを含む場合には、前記ｓｙパラメータに前記コピーワンジェネレーションまたは前記コピーネバーを設定するステップと、
を備える
ことを特徴とするＩＥＥＥ１３９４送信方法。
（付記１３）  付記１２に記載のＩＥＥＥ１３９４送信方法であって、
前記ｓｙパラメータに前記コピーワンジェネレーションまたは前記コピーネバーを設定するステップは、
複数の前記オーディオデータコンテンツの暗号化要求が、前記コピーワンジェネレーションを含み、前記コピーネバーを含まない場合には、前記ｓｙパラメータに前記コピーワンジェネレーションを設定するステップと、
複数の前記オーディオデータコンテンツの暗号化要求が、前記コピーネバーを含む場合には、前記ｓｙパラメータに前記コピーネバーを設定するステップと、
を含む
ことを特徴とするＩＥＥＥ１３９４送信方法。
（付記１４）  付記１１に記載のＩＥＥＥ１３９４送信方法であって、
前記オーディオデータコンテンツごとに暗号化の有無とレベルとを認識し、暗号化のレベルに応じた暗号情報を供給するステップと、
前記暗号情報を供給するステップにより供給される前記暗号情報に応じて、対象とする前記オーディオデータコンテンツを暗号化するステップと、
を備えることを特徴とするＩＥＥＥ１３９４送信方法。
（付記１５）  付記１４に記載のＩＥＥＥ１３９４送信方法であって、
前記オーディオデータコンテンツを暗号化するステップは５Ｃ−ＤＴＣＰ方式により行なう
ことを特徴とするＩＥＥＥ１３９４送信方法。
（付記１６）  複数チャンネルのオーディオデータコンテンツを受信するＩＥＥＥ１３９４受信方法であって、
受信したＩＥＥＥ１３９４パケットから１つの前記オーディオデータコンテンツのフォーマットを分離するステップと、
１つの前記オーディオデータコンテンツのフォーマットを、外部から入力されるオーディオデータコンテンツ分離情報に基づいて、複数の前記オーディオデータコンテンツを生成するステップと、
を備えることを特徴とするＩＥＥＥ１３９４受信方法。
（付記１７）  付記１６に記載のＩＥＥＥ１３９４受信方法であって、
ｓｙパラメータがコピーフリーか否かを判別するステップと、
前記ｓｙパラメータがコピーワンジェネレーションまたはコピーネバーの場合、前記オーディオデータコンテンツのフォーマットにおいて、サンプリングオーディオデータを識別するラベルが所定値であるか否かを前記サンプリングオーディオデータごとに判別するステップと、
前記ラベルが前記所定値であるか否かを前記サンプリングオーディオデータごとに判別するステップによる判別の結果が前記所定値でない場合、前記ｓｙパラメータを用いて前記オーディオデータコンテンツを生成するステップで生成された前記オーディオデータコンテンツを復号化するステップと、
前記オーディオデータコンテンツを復号化するステップによる復号化の結果、前記ラベルが前記所定値であるか否かを判別するステップと、
前記オーディオデータコンテンツを復号化するステップによる復号化の結果、前記ラベルが前記所定値であるか否かを判別するステップによる判別の結果が前記所定値でない場合、前記ｓｙパラメータとは異なるパラメータを用いて復号化するステップと、
を備える
ことを特徴とするＩＥＥＥ１３９４受信方法。
（付記１８）  付記１７に記載のＩＥＥＥ１３９４受信方法であって、
各々の前記オーディオデータコンテンツを復号化するステップにおける復号化は５Ｃ−ＤＴＣＰ方式により行なう
ことを特徴とするＩＥＥＥ１３９４受信方法。
【図面の簡単な説明】
【００５９】
【図１】第１実施形態にかかるＩＥＥＥ１３９４装置の構成を示すブロック図である。
【図２】標準のＡＭ８２４データフォーマットを示す図である。
【図３】サブラベル付きＡＭ８２４データフォーマットを示す図である。
【図４】８チャンネルのオーディオデータコンテンツの基本データブロック構成を示す図である。
【図５】暗号化制御部から出力されるＡＮＧＸの内容を示すタイミングチャートである。
【図６】アイソクロナスパケットヘッダフォーマットを示す図である。
【図７】ＣＩＰヘッダフォーマットを示す図である。
【図８】第１実施形態にかかるＩＥＥＥ１３９４送信装置から送信されるアイソクロナスパケット構造を示す図である。
【図９】第１実施形態にかかるＩＥＥＥ１３９４送信装置から送信されるＩＥＥＥ１３９４パケットを示す図である。
【図１０】第２実施形態にかかるＩＥＥＥ１３９４受信装置の構成を示すブロック図である。
【図１１】各オーディオデータコンテンツの復号化の手順を示すフローチャートである。
【図１２】従来のＩＥＥＥ１３９４送信装置の構成を示すブロック図である。
【図１３】従来技術のＩＥＥＥ１３９４送信装置から送信されるＩＥＥＥ１３９４パケットを示す図である。
【図１４】第１のオーディオデータコンテンツに対応するアイソクロナスパケット構造（ＩＳＯ１）を示す図である。
【図１５】第２のオーディオデータコンテンツに対応するアイソクロナスパケット構造（ＩＳＯ２）を示す図である。
【図１６】第３のオーディオデータコンテンツに対応するアイソクロナスパケット構造（ＩＳＯ３）を示す図である。
【符号の説明】
【００６０】
１  ＩＥＥＥ１３９４送信装置
２  シリアル−パラレル変換部
３  ＰＬＬ
４  ＩＥＣ６１８８３−６エンコード部
６  暗号化部
７  ＩＥＥＥ１３９４送信制御部
８  ｓｙパラメータ設定部
９  暗号化制御部
１０  ＩＥＥＥ１３９４受信装置
１１  ＩＥＥＥ１３９４受信制御部
１２  第１判別部
１３  第２判別部
１４  第１復号化部
１５  第３判別部
１６  第２復号化部
１７  セレクタ
１８  復号化制御部
１９  ＩＥＣ６１８８３−６デコード部
２０  ＰＬＬ
２１  パラレル−シリアル変換部
【図１】
2008228164.tif 000003
【図２】
2008228164.tif 000004
【図３】
2008228164.tif 000005
【図４】
2008228164.tif 000006
【図５】
2008228164.tif 000007
【図６】
2008228164.tif 000008
【図７】
2008228164.tif 000009
【図８】
2008228164.tif 000010
【図９】
2008228164.tif 000011
【図１０】
2008228164.tif 000012
【図１１】
2008228164.tif 000013
【図１２】
2008228164.tif 000014
【図１３】
2008228164.tif 000015
【図１４】
2008228164.tif 000016
【図１５】
2008228164.tif 000017
【図１６】
2008228164.tif 000018